(57)【要約】【課題】利便性の良い画像形成装置、画像形成装置の制御方法、および画像形成装置の制御プログラムを提供する。【解決手段】画像形成装置は、画像形成装置の使用を開始する新たなユーザーを特定する特定手段と、新たなユーザーに画像形成装置の使用を許可するログイン処理を行うログイン手段と、特定手段にて新たなユーザーを特定した場合において、画像形成装置の使用を既に許可されている先のユーザーが存在するとき、ログイン手段にてログイン処理を行う前に、先のユーザーによる画像形成装置の使用を不許可にするログアウト処理を行うログアウト手段とを備えている。画像形成装置は、先のユーザーが存在するとき、新たなユーザーのユーザー名の全ての文字をユーザー名ＵＮ１として表示し、先のユーザーが存在しないとき、新たなユーザーのユーザー名を短縮した文字をユーザー名ＵＮ２として表示する。【選択図】図５
2015053635.tif 000002
【特許請求の範囲】
【請求項１】
画像形成装置の使用を開始する新たなユーザーを特定する特定手段と、
前記特定手段にて前記新たなユーザーを特定した場合に、前記新たなユーザーに前記画像形成装置の使用を許可するログイン処理を行うログイン手段と、
前記特定手段にて前記新たなユーザーを特定した場合において、前記画像形成装置の使用を既に許可されている先のユーザーが存在するとき、前記ログイン手段にてログイン処理を行う前に、前記先のユーザーによる前記画像形成装置の使用を不許可にするログアウト処理を行うログアウト手段と、
前記特定手段にて前記新たなユーザーを特定した場合において、前記先のユーザーが存在するとき、前記新たなユーザーのユーザー名の全ての文字を表示する第１の表示手段と、
前記特定手段にて前記新たなユーザーを特定した場合において、前記先のユーザーが存在しないとき、前記新たなユーザーのユーザー名を短縮した文字を表示する第２の表示手段とを備えた、画像形成装置。
【請求項２】
前記第１または第２の表示手段にて表示した場合に、前記新たなユーザーのユーザー名の全ての文字と、前記新たなユーザーのユーザー名を短縮した文字との間で、表示する文字を切り替える切替手段とをさらに備えた、請求項１に記載の画像形成装置。
【請求項３】
前記切替手段は、前記新たなユーザーのユーザー名の全ての文字または前記新たなユーザーのユーザー名を短縮した文字の表示領域の選択を受け付けた場合に、表示する文字を切り替える、請求項２に記載の画像形成装置。
【請求項４】
前記特定手段にて前記新たなユーザーを特定した場合において、前記先のユーザーが存在するとき、前記ログイン手段にて前記ログイン処理を行ってからの経過時間を計測する計測手段をさらに備え、
前記切替手段は、前記計測手段にて計測した時間に基づいて、前記新たなユーザーのユーザー名の全ての文字から前記新たなユーザーのユーザー名を短縮した文字に、表示する文字を切り替える、請求項２または３に記載の画像形成装置。
【請求項５】
前記切替手段は、
前記新たなユーザーのユーザー名の全ての文字から前記新たなユーザーのユーザー名を短縮した文字に、表示する文字を切り替える場合に、前記新たなユーザー名の先頭から第１の個数の文字と、前記先のユーザーのユーザー名の先頭から前記第１の個数の文字とが同一であるか否かを判別する第１の判別手段と、
前記第１の判別手段にて同一であると判別した場合、前記新たなユーザーのユーザー名の文字のうち、先頭の文字から、前記先のユーザーのユーザー名の文字と相違する文字までを、前記新たなユーザーのユーザー名を短縮した文字として表示する第１の相違部分表示手段とを含む、請求項２〜４のいずれかに記載の画像形成装置。
【請求項６】
前記切替手段は、
前記新たなユーザーのユーザー名の全ての文字から前記新たなユーザーのユーザー名を短縮した文字に、表示する文字を切り替える場合に、前記新たなユーザー名の先頭から第２の個数の文字と、前記先のユーザーのユーザー名の先頭から前記第２の個数の文字とが同一であるか否かを判別する第２の判別手段と、
前記第２の判別手段にて同一であると判別した場合、前記新たなユーザーのユーザー名の文字うち、前記先のユーザーのユーザー名の文字とは相違する文字以降の文字を、前記新たなユーザーのユーザー名を短縮した文字として表示する第２の相違部分表示手段とを含む、請求項２〜４のいずれかに記載の画像形成装置。
【請求項７】
前記第１の表示手段は、
前記新たなユーザーのユーザー名に、前記先のユーザーのユーザー名の文字と同一の文字が第３の個数以上含まれているか否かを判別する第３の判別手段と、
前記第３の判別手段にて前記第３の個数以上含まれていると判別した場合、前記新たなユーザーのユーザー名の文字うち、前記先のユーザーのユーザー名の文字とは相違する文字を、前記先のユーザーのユーザー名の文字と同じである文字とは異なる色で表示することにより、前記新たなユーザーのユーザー名の全ての文字を表示する、色変更表示手段とを含む、請求項１〜６のいずれかに記載の画像形成装置。
【請求項８】
前記第１の表示手段は、前記新たなユーザーのユーザー名の全ての文字をポップアップして表示する、請求項１〜７のいずれかに記載の画像形成装置。
【請求項９】
前記第１の表示手段は、前記新たなユーザーのユーザー名の全ての文字を操作画面のヘッダ部に表示する、請求項１〜７のいずれかに記載の画像形成装置。
【請求項１０】
前記第１の表示手段は、
前記新たなユーザーのユーザー名が第４の個数以上の文字を含むか否かを判別する第４の判別手段と、
前記第４の判別手段にて前記第４の個数以上の文字を含むと判別した場合、前記新たなユーザーのユーザー名が前記第４の個数未満の文字を含む場合に表示する文字のサイズよりも小さいサイズで、前記新たなユーザーのユーザー名の全ての文字を表示する、請求項１〜９のいずれかに記載の画像形成装置。
【請求項１１】
前記第１の表示手段または前記第２の表示手段にて表示を行った後で、前記第１の表示手段または前記第２の表示手段にて表示を行った画面に、前記新たなユーザーに関する情報が表示されたか否かを判別する画面判別手段と、
前記画面判別手段にて前記新たなユーザーに関する情報が表示されたと判別した場合に、前記第１の表示手段または前記第２の表示手段にて行った表示を前記画面から消去する表示消去手段とをさらに備えた、請求項１〜１０のいずれかに記載の画像形成装置。
【請求項１２】
画像形成装置の使用を開始する新たなユーザーを特定する特定ステップと、
前記特定ステップにて前記新たなユーザーを特定した場合に、前記新たなユーザーに前記画像形成装置の使用を許可するログイン処理を行うログインステップと、
前記特定ステップにて前記新たなユーザーを特定した場合において、前記画像形成装置の使用を既に許可されている先のユーザーが存在するとき、前記ログインステップにてログイン処理を行う前に、前記先のユーザーによる前記画像形成装置の使用を不許可にするログアウト処理を行うログアウトステップと、
前記特定ステップにて前記新たなユーザーを特定した場合において、前記先のユーザーが存在するとき、前記新たなユーザーのユーザー名の全ての文字を表示する第１の表示ステップと、
前記特定ステップにて前記新たなユーザーを特定した場合において、前記先のユーザーが存在しないとき、前記新たなユーザーのユーザー名を短縮した文字を表示する第２の表示ステップとを備えた、画像形成装置の制御方法。
【請求項１３】
画像形成装置の使用を開始する新たなユーザーを特定する特定ステップと、
前記特定ステップにて前記新たなユーザーを特定した場合に、前記新たなユーザーに前記画像形成装置の使用を許可するログイン処理を行うログインステップと、
前記特定ステップにて前記新たなユーザーを特定した場合において、前記画像形成装置の使用を既に許可されている先のユーザーが存在するとき、前記ログインステップにてログイン処理を行う前に、前記先のユーザーによる前記画像形成装置の使用を不許可にするログアウト処理を行うログアウトステップと、
前記特定ステップにて前記新たなユーザーを特定した場合において、前記先のユーザーが存在するとき、前記新たなユーザーのユーザー名の全ての文字を表示する第１の表示ステップと、
前記特定ステップにて前記新たなユーザーを特定した場合において、前記先のユーザーが存在しないとき、前記新たなユーザーのユーザー名を短縮した文字を表示する第２の表示ステップとをコンピューターに実行させる、画像形成装置の制御プログラム。
【発明の詳細な説明】
【技術分野】
【０００１】
本発明は、画像形成装置、画像形成装置の制御方法、および画像形成装置の制御プログラムに関し、より特定的には、画像形成装置の使用を開始する新たなユーザーのユーザー名を表示する画像形成装置、画像形成装置の制御方法、および画像形成装置の制御プログラムに関する。
【背景技術】
【０００２】
電子写真方式を用いた画像形成装置には、スキャナー機能、ファクシミリ機能、複写機能、プリンターとしての機能、データ通信機能、およびサーバー機能を備えたＭＦＰ（Ｍｕｌｔｉ  Ｆｕｎｃｔｉｏｎ  Ｐｅｒｉｐｈｅｒａｌ）、ファクシミリ装置、複写機、プリンターなどがある。
【０００３】
画像形成装置の中には、ＩＣ（Ｉｎｔｅｇｒａｔｅｄ  Ｃｉｒｃｕｉｔ）カードをかざすことなどにより、そのＩＣカードを所持するユーザーを特定（認証）し、そのユーザーの使用を許可する処理であるログイン処理を行う機能を備えたものが存在している。この種の画像形成装置では、同時に画像形成装置を使用できる人数は通常１人である。すなわち、画像形成装置は、画像形成装置の使用を既に許可している他のユーザーが存在する状態で、新たなユーザーのログイン処理を行う場合に、他のユーザーの使用を不許可にするログアウト処理を行うことにより、画面を切り替えることなしに、画像形成装置の使用を許可するユーザーを自動的に切り替える。
【０００４】
ところで、画像形成装置は、画像形成装置の各種情報を表示し、かつ各種操作を受け付ける操作パネルを備えている。画像形成装置は、画像形成装置の使用を許可しているユーザーのユーザー名を、操作パネルの操作画面のヘッダエリアなどに表示することにより、現在誰がログインしているのかを明確にしている。
【０００５】
近年、画像形成装置は、多機能化および高機能化により、多くの設定項目を含んでおり、操作画面内には、設定項目に関する多数の情報やキーが表示される。このため、操作画面内に確保することのできる領域には制限があり、操作画面内に表示する情報やキーを一つ増やしただけでも、操作パネルの操作性に悪影響を与える可能性がある。したがって、操作画面内にユーザー名全体を表示させようとすると、既に配置されているキーを小さくしたり、既に配置されているキーを削除したり、各種情報を表示している領域を小さくしたりする必要が生じ、操作パネルの操作性へ悪影響を及ぼす。操作パネルの操作性への悪影響を最小限にするために、従来の画像形成装置は、画像形成装置の使用を許可しているユーザーのユーザー名を、ユーザー名の短縮形で表示していた。
【０００６】
なお、複数のユーザーによる装置の使用に関する技術は、たとえば下記特許文献１および２に開示されている。下記特許文献１には、１人あるいは複数人が同時に使用する装置において、使用中ユーザーに基づいて、制御を切替える装置が開示されている。この装置は、入力に基づいて、ユーザーを特定するユーザー特定部と、現在使用中のユーザーを記憶する現ユーザー記憶部と、ユーザーに関連付けた設定情報を記憶する設定情報記憶部と、現ユーザー記憶部から、現在使用中のユーザーを取得し、取得したユーザーに関連付けられた設定情報を設定情報記憶部より取得することによって、設定情報を管理する設定情報管理部とを備えている。
【０００７】
下記特許文献２には、使用中の部門を表示するためのスペースを画面上に確保するのが容易で、その部門を識別し易くできる画像形成装置が開示されている。この画像形成装置は、使用者識別信号を入力するための入力手段と、複数色で表示可能な表示手段と、各使用者識別信号に対応する色情報を記憶する色情報記憶手段とを備えている。この画像形成装置は、入力手段により使用者識別信号が入力されたとき、その使用者識別信号に対応する色情報を色情報記憶手段から読み出す読み出し手段と、読み出し手段により読み出された色情報で表示手段を表示する制御を行う制御手段とをさらに備えている。
【先行技術文献】
【特許文献】
【０００８】
【特許文献１】特開２００６−１４８６２８号公報
【特許文献２】特開平１１−１０２１４４号公報
【発明の概要】
【発明が解決しようとする課題】
【０００９】
しかしながら、従来の画像形成装置においては、ユーザー名の類似したユーザーが立て続けにログインした場合に、現在誰がログインしているのかが分からず、利便性が悪いという問題があった。
【００１０】
たとえば、画像形成装置の使用を既に許可している先のユーザーが「ａｂｃｘｙ」というユーザー名を有しており、画像形成装置の使用を開始する新たなユーザーが「ａｂｃｄｅ」というユーザー名を有している場合を想定する。この場合、従来の画像形成装置が表示する先のユーザーのユーザー名の短縮形、および新たなユーザーのユーザー名の短縮形が、いずれも「ａｂｃ」となることがあった。この場合、先のユーザーおよび新たなユーザーのどちらがログインしているのかが分からなくなっていた。
【００１１】
本発明は、上記課題を解決するためのものであり、その目的は、利便性の良い画像形成装置、画像形成装置の制御方法、および画像形成装置の制御プログラムを提供することである。
【課題を解決するための手段】
【００１２】
本発明の一の局面に従う画像形成装置は、画像形成装置の使用を開始する新たなユーザーを特定する特定手段と、特定手段にて新たなユーザーを特定した場合に、新たなユーザーに画像形成装置の使用を許可するログイン処理を行うログイン手段と、特定手段にて新たなユーザーを特定した場合において、画像形成装置の使用を既に許可されている先のユーザーが存在するとき、ログイン手段にてログイン処理を行う前に、先のユーザーによる画像形成装置の使用を不許可にするログアウト処理を行うログアウト手段と、特定手段にて新たなユーザーを特定した場合において、先のユーザーが存在するとき、新たなユーザーのユーザー名の全ての文字を表示する第１の表示手段と、特定手段にて新たなユーザーを特定した場合において、先のユーザーが存在しないとき、新たなユーザーのユーザー名を短縮した文字を表示する第２の表示手段とを備える。
【００１３】
上記画像形成装置において好ましくは、第１または第２の表示手段にて表示した場合に、新たなユーザーのユーザー名の全ての文字と、新たなユーザーのユーザー名を短縮した文字との間で、表示する文字を切り替える切替手段とをさらに備える。
【００１４】
上記画像形成装置において好ましくは、切替手段は、新たなユーザーのユーザー名の全ての文字または新たなユーザーのユーザー名を短縮した文字の表示領域の選択を受け付けた場合に、表示する文字を切り替える。
【００１５】
上記画像形成装置において好ましくは、特定手段にて新たなユーザーを特定した場合において、先のユーザーが存在するとき、ログイン手段にてログイン処理を行ってからの経過時間を計測する計測手段をさらに備え、切替手段は、計測手段にて計測した時間に基づいて、新たなユーザーのユーザー名の全ての文字から新たなユーザーのユーザー名を短縮した文字に、表示する文字を切り替える。
【００１６】
上記画像形成装置において好ましくは、切替手段は、新たなユーザーのユーザー名の全ての文字から新たなユーザーのユーザー名を短縮した文字に、表示する文字を切り替える場合に、新たなユーザー名の先頭から第１の個数の文字と、先のユーザーのユーザー名の先頭から第１の個数の文字とが同一であるか否かを判別する第１の判別手段と、第１の判別手段にて同一であると判別した場合、新たなユーザーのユーザー名の文字のうち、先頭の文字から、先のユーザーのユーザー名の文字と相違する文字までを、新たなユーザーのユーザー名を短縮した文字として表示する第１の相違部分表示手段とを含む。
【００１７】
上記画像形成装置において好ましくは、切替手段は、新たなユーザーのユーザー名の全ての文字から新たなユーザーのユーザー名を短縮した文字に、表示する文字を切り替える場合に、新たなユーザー名の先頭から第２の個数の文字と、先のユーザーのユーザー名の先頭から第２の個数の文字とが同一であるか否かを判別する第２の判別手段と、第２の判別手段にて同一であると判別した場合、新たなユーザーのユーザー名の文字うち、先のユーザーのユーザー名の文字とは相違する文字以降の文字を、新たなユーザーのユーザー名を短縮した文字として表示する第２の相違部分表示手段とを含む。
【００１８】
上記画像形成装置において好ましくは、第１の表示手段は、新たなユーザーのユーザー名に、先のユーザーのユーザー名の文字と同一の文字が第３の個数以上含まれているか否かを判別する第３の判別手段と、第３の判別手段にて第３の個数以上含まれていると判別した場合、新たなユーザーのユーザー名の文字うち、先のユーザーのユーザー名の文字とは相違する文字を、先のユーザーのユーザー名の文字と同じである文字とは異なる色で表示することにより、新たなユーザーのユーザー名の全ての文字を表示する、色変更表示手段とを含む。
【００１９】
上記画像形成装置において好ましくは、第１の表示手段は、新たなユーザーのユーザー名の全ての文字をポップアップして表示する。
【００２０】
上記画像形成装置において好ましくは、第１の表示手段は、新たなユーザーのユーザー名の全ての文字を操作画面のヘッダ部に表示する。
【００２１】
上記画像形成装置において好ましくは、第１の表示手段は、新たなユーザーのユーザー名が第４の個数以上の文字を含むか否かを判別する第４の判別手段と、第４の判別手段にて第４の個数以上の文字を含むと判別した場合、新たなユーザーのユーザー名が第４の個数未満の文字を含む場合に表示する文字のサイズよりも小さいサイズで、新たなユーザーのユーザー名の全ての文字を表示する。
【００２２】
上記画像形成装置において好ましくは、第１の表示手段または第２の表示手段にて表示を行った後で、第１の表示手段または第２の表示手段にて表示を行った画面に、新たなユーザーに関する情報が表示されたか否かを判別する画面判別手段と、画面判別手段にて新たなユーザーに関する情報が表示されたと判別した場合に、第１の表示手段または第２の表示手段にて行った表示を画面から消去する表示消去手段とをさらに備える。
【００２３】
本発明の他の局面に従う画像形成装置の制御方法は、画像形成装置の使用を開始する新たなユーザーを特定する特定ステップと、特定ステップにて新たなユーザーを特定した場合に、新たなユーザーに画像形成装置の使用を許可するログイン処理を行うログインステップと、特定ステップにて新たなユーザーを特定した場合において、画像形成装置の使用を既に許可されている先のユーザーが存在するとき、ログインステップにてログイン処理を行う前に、先のユーザーによる画像形成装置の使用を不許可にするログアウト処理を行うログアウトステップと、特定ステップにて新たなユーザーを特定した場合において、先のユーザーが存在するとき、新たなユーザーのユーザー名の全ての文字を表示する第１の表示ステップと、特定ステップにて新たなユーザーを特定した場合において、先のユーザーが存在しないとき、新たなユーザーのユーザー名を短縮した文字を表示する第２の表示ステップとを備える。
【００２４】
本発明のさらに他の局面に従う画像形成装置の制御プログラムは、画像形成装置の使用を開始する新たなユーザーを特定する特定ステップと、特定ステップにて新たなユーザーを特定した場合に、新たなユーザーに画像形成装置の使用を許可するログイン処理を行うログインステップと、特定ステップにて新たなユーザーを特定した場合において、画像形成装置の使用を既に許可されている先のユーザーが存在するとき、ログインステップにてログイン処理を行う前に、先のユーザーによる画像形成装置の使用を不許可にするログアウト処理を行うログアウトステップと、特定ステップにて新たなユーザーを特定した場合において、先のユーザーが存在するとき、新たなユーザーのユーザー名の全ての文字を表示する第１の表示ステップと、特定ステップにて新たなユーザーを特定した場合において、先のユーザーが存在しないとき、新たなユーザーのユーザー名を短縮した文字を表示する第２の表示ステップとをコンピューターに実行させる。
【発明の効果】
【００２５】
本発明によれば、利便性の良い画像形成装置、画像形成装置の制御方法、および画像形成装置の制御プログラムを提供することができる。
【図面の簡単な説明】
【００２６】
【図１】本発明の第１の実施の形態における画像形成装置の外観を模式的に示す図である。
【図２】本発明の第１の実施の形態における画像形成装置の内部構成を示すブロック図である。
【図３】固定記憶装置に記憶されている個人認証情報テーブルを模式的に示す図である。
【図４】画像形成装置の使用を開始する際の新たなユーザーの動作を模式的に示す図である。
【図５】本発明の第１の実施の形態において、操作画面のヘッダ部に表示された新たなユーザーのユーザー名を模式的に示す図である。
【図６】本発明の第１の実施の形態において、操作画面上にポップアップ表示された新たなユーザーのユーザー名を模式的に示す図である。
【図７】本発明の第１の実施の形態における新たなユーザーのログイン時の画像形成装置の動作を示すフローチャートである。
【図８】本発明の第２の実施の形態において、操作画面のヘッダ部に表示された新たなユーザーのユーザー名を模式的に示す図である。
【図９】本発明の第２の実施の形態における新たなユーザーのログイン時の画像形成装置の動作を示すフローチャートである。
【図１０】本発明の第３の実施の形態において、操作画面のヘッダ部に表示された新たなユーザーのユーザー名を模式的に示す図である。
【図１１】本発明の第３の実施の形態における新たなユーザーのログイン時の画像形成装置の動作を示すフローチャートである。
【図１２】本発明の第４の実施の形態におけるユーザー名の表示態様の切り替えを模式的に示す図である。
【図１３】本発明の第４の実施の形態における新たなユーザーのログイン時の画像形成装置の動作を示すフローチャートである。
【図１４】本発明の第５の実施の形態において、操作画面のヘッダ部に表示された新たなユーザーのユーザー名を模式的に示す図である。
【図１５】本発明の第５の実施の形態における新たなユーザーのログイン時の画像形成装置の動作を示すフローチャートである。
【図１６】本発明の第６の実施の形態において、操作画面のヘッダ部に表示された新たなユーザーのユーザー名を模式的に示す図である。
【図１７】本発明の第６の実施の形態における新たなユーザーのログイン時の画像形成装置の動作を示すフローチャートである。
【図１８】本発明の第７の実施の形態における操作画面を模式的に示す図である。
【図１９】本発明の第７の実施の形態における新たなユーザーのログイン時の画像形成装置の動作を示すフローチャートである。
【発明を実施するための形態】
【００２７】
以下、本発明の実施の形態について、図面に基づいて説明する。
【００２８】
以下の実施の形態においては、画像形成装置が、スキャナー機能、ファクシミリ機能、複写機能、プリンターとしての機能、データ通信機能、およびサーバー機能を備えたＭＦＰ（Ｍｕｌｔｉｆｕｎｃｔｉｏｎ  Ｐｅｒｉｐｈｅｒａｌ）である場合について説明する。画像形成装置は、たとえば電子写真方式や静電記録方式などによって画像形成を行うものであればよく、ＭＦＰの他、ファクシミリ装置、複写機、またはプリンターなどであってもよい。
【００２９】
本明細書において、「ログイン処理」とは、ユーザーに画像形成装置の使用を許可する処理を意味している。「画像形成装置にログイン中」とは、画像形成装置の使用を既に許可されている状態を意味している。「ログアウト処理」とは、画像形成装置の使用を既に許可されているユーザーによる画像形成装置の使用を不許可にする処理を意味している。
【００３０】
以降の説明では、画像形成装置の使用を開始するユーザーを「新たなユーザー」と呼び、新たなユーザーの前に画像形成装置の使用を許可されているユーザーを「先のユーザー」と呼ぶことがある。
【００３１】
［第１の実施の形態］
【００３２】
始めに、本実施の形態における画像形成装置の構成について説明する。
【００３３】
図１は、本発明の第１の実施の形態における画像形成装置の外観を模式的に示す図である。図１では、画像形成装置の操作パネルが拡大して示されている。
【００３４】
画像形成装置１は、その前面に操作パネル１０を備えている。操作パネル１０は、ハードウェアキー１１や、各種情報の画面を表示するＬＣＤなどの表示部１２や、表示部１２の前面に配置されたタッチパネル１３などを含んでいる。タッチパネル１３は、表示部１２へのタッチを受け付ける。また画像形成装置１は、認証装置３０を備えている。
【００３５】
図２は、本発明の第１の実施の形態における画像形成装置の内部構成を示すブロック図である。
【００３６】
図２を参照して、画像形成装置１は、操作パネル１０と、制御部２０と、認証装置３０と、画像形成部４０と、固定記憶装置５０とを備えている。
【００３７】
操作パネル１０は、画像形成装置１に関する各種情報を表示し、かつ画像形成装置１の操作を受け付ける。
【００３８】
制御部２０は、画像形成装置１全体の制御を行う。制御部２０は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などによって構成されている。ＣＰＵは、制御プログラムに基づく処理を行う。ＲＯＭは、画像形成装置１の動作を制御する制御プログラムを格納する。ＲＡＭはＣＰＵの作業用のメモリである。
【００３９】
制御部２０は、操作入力検知部１０１と、個人認証部１０２と、情報処理部１０３と、表示制御部１０４と、画像形成処理制御部１０５と、タイマー部１０６とを含んでいる。操作入力検知部１０１は、操作パネル１０で受け付けた操作を情報処理部１０３に検知する。個人認証部１０２は、認証装置３０から受信した情報に基づいて、操作を行っているユーザーを特定（認証）し、特定したユーザーのログイン処理を行う。情報処理部１０３は、各種情報を処理する。情報処理部１０３は、ログイン中のユーザーのユーザー名の全ての文字を表示部１２に表示するか、ログイン中のユーザーのユーザー名の短縮形（ユーザー名を短縮した文字列）を表示部１２に表示するかを判断し、判断結果を表示制御部１０４に対して通知する。表示制御部１０４は、表示部１２を制御する。画像形成処理制御部１０５は画像形成部４０を制御する。タイマー部１０６は計時を行う。
【００４０】
認証装置３０は、ユーザーが所持するＩＣカードが近づけられると、ＩＣカードに記憶された情報（たとえばユーザー名およびパスワードなど）を読み取る。認証装置３０は、読み取った情報を個人認証部１０２に送信する。認証装置３０は、ＩＣカードと通信するための磁場を発生させるアンテナおよび無線回路や、受信した情報を復調し復号する回路などを有している。
【００４１】
画像形成部４０は、おおまかに、トナー像形成部、定着装置、および用紙搬送部などで構成される。画像形成部４０は、たとえば電子写真方式で用紙に画像を形成する（プリントする）。画像形成部４０は、いわゆるタンデム方式で４色の画像を合成し、用紙にカラー画像を形成可能に構成される。トナー像形成部は、Ｃ（シアン）、Ｍ（マゼンタ）、Ｙ（イエロー）、Ｋ（ブラック）の各色について設けられた感光体と、感光体からトナー像が転写（１次転写）される中間転写ベルトと、中間転写ベルトから用紙に画像を転写（２次転写）する転写部などで構成される。定着装置は、加熱ローラおよび加圧ローラを有する。定着装置は、加熱ローラと加圧ローラとでトナー像が形成された用紙を挟みながら搬送し、その用紙に加熱及び加圧を行なう。これにより、定着装置は、用紙に付着したトナーを溶融させて用紙に定着させ、用紙に画像を形成する。用紙搬送部は、給紙ローラ、搬送ローラ、およびそれらを駆動するモータなどで構成されている。用紙搬送部は、用紙を給紙カセットから給紙して、画像形成装置１の筐体の内部で搬送する。また、用紙搬送部は、画像が形成された用紙を画像形成装置１の筐体から排紙トレイなどに排出する。
【００４２】
固定記憶装置５０は、たとえばＨＤＤ（Ｈａｒｄ  Ｄｉｓｋ  Ｄｒｉｖｅ）であり、個人認証情報テーブル（図３）などの各種情報を記憶する。
【００４３】
図３は、固定記憶装置に記憶されている個人認証情報テーブルを模式的に示す図である。
【００４４】
図３を参照して、個人認証情報テーブルには、ユーザー名と、パスワードと、画像形成装置１の使用が許可されているか否か（使用の可否）とが含まれている。ユーザー名は、ここではＩＣカードの持ち主であるユーザーの識別情報を兼ねているが、ユーザー名とは別にユーザーＩＤが設定されていてもよい。
【００４５】
図３の示す個人認証情報テーブルによれば、たとえば「ａｂｃｄｅｆｇｈｉｊｋｌｍｎ」というユーザー名を持つユーザーは、「１ａｌ２ｃ」というパスワードを有しており、画像形成装置１の使用が許可されていることが分かる。また、「ａｂｓｄｅ」というユーザー名を持つユーザーは、「ｉ２ｊｙ４」というパスワードを有しており、画像形成装置１の使用が許可されていないことが分かる。
【００４６】
続いて、本実施の形態における新たなユーザーのログイン時の画像形成装置の動作について説明する。
【００４７】
図４は、画像形成装置の使用を開始する際の新たなユーザーの動作を模式的に示す図である。
【００４８】
図４を参照して、新たなユーザーは、画像形成装置の使用を開始する際に、自らが所持するＩＣカード２００を画像形成装置１の認証装置３０に近づける。画像形成装置１は、認証装置３０にＩＣカード２００が近づけられると、ＩＣカード２００に記憶されたユーザー名およびパスワードを読み取る。そして画像形成装置１は、個人認証情報テーブルを参照して、読み取ったユーザー名およびパスワードに基づいて、ＩＣカードを所持するユーザーが誰であるかを特定する（ユーザーを認証する）認証処理を行う。なお、画像形成装置１のユーザーの特定方法は、ＩＣカードに記憶された情報を読み取る方法の他、操作パネル１０などからパスワードおよびユーザー名の入力を受け付ける方法などであってもよい。
【００４９】
次に画像形成装置１は、個人認証情報テーブルを参照して、特定したユーザーが画像形成装置１の使用を許可されているか否かを判断する。画像形成装置１は、特定したユーザーが画像形成装置の使用を許可されている場合には、特定したユーザーのログイン処理を行う。
【００５０】
ここで、画像形成装置１がその使用を同時に許可するユーザー数は１人である。画像形成装置１にログイン中の先のユーザーが存在する場合、画像形成装置１は、新たなユーザーのログイン処理を行うことはできない。したがって、画像形成装置１は、新たなユーザーを特定した場合において、画像形成装置１にログイン中の先のユーザーが存在するときは、先のユーザーのログアウト処理を行い、その後で新たなユーザーのログイン処理を行う。画像形成装置１は、ログイン中のユーザーを自動的に（先のユーザーの同意無しに）切り替える。
【００５１】
図５は、本発明の第１の実施の形態において、操作画面のヘッダ部に表示された新たなユーザーのユーザー名を模式的に示す図である。
【００５２】
図５を参照して、画像形成装置１は、新たなユーザーのログイン処理を完了すると、操作パネル１０の表示部１２に新たなユーザーのユーザー名を表示する。ユーザー名は、たとえば表示部１２に表示された画像形成装置１の操作画面におけるヘッダ部（上部）に表示される。ここでは、新たなユーザーのユーザー名が「ａｂｃｄｅｆｇｈｉｊｋｌｍｎ」であるものとする。
【００５３】
画像形成装置１は、新たなユーザーを特定した場合に、画像形成装置１にログイン中の先のユーザーが存在したか否か（言い換えれば、新たなユーザーのログイン処理を行う前に、先のユーザーのログアウト処理を行ったか否か）に応じて、ユーザー名の表示態様を変更する。
【００５４】
具体的には、新たなユーザーを特定した場合において、画像形成装置１にログイン中の先のユーザーが存在したときは、画像形成装置１は、新たなユーザーのユーザー名ＵＮ１として、図５（ａ）に示すように、「ａｂｃｄｅｆｇｈｉｊｋｌｍｎ」という文字を表示する。以降の説明において、ユーザー名ＵＮ１は、新たなユーザーのユーザー名の全ての文字を表示したものを意味している。
【００５５】
一方、新たなユーザーを特定した場合において、画像形成装置１にログイン中の先のユーザーが存在しなかったときは、画像形成装置１は、新たなユーザーのユーザー名ＵＮ２として、図５（ｂ）に示すように、「ａｂｃｄｅ」という文字を表示する。以降の説明において、ユーザー名ＵＮ２は、新たなユーザーのユーザー名の短縮形（新たなユーザーのユーザー名を短縮した文字）を表示したものを意味している。ユーザー名の短縮形は、ユーザー名を構成する文字の一部であればよく、本実施の形態では、先頭から５個分の文字で構成されている。
【００５６】
図６は、本発明の第１の実施の形態において、操作画面上にポップアップ表示された新たなユーザーのユーザー名を模式的に示す図である。
【００５７】
図６を参照して、新たなユーザーを特定した場合において、画像形成装置１にログイン中の先のユーザーが存在したときは、画像形成装置１は、新たなユーザーのユーザー名ＵＮ１を、操作画面におけるヘッダ部に表示させる代わりに、図６に示すように、操作画面上にポップアップ表示させてもよい。画像形成装置１は、ＯＫキーであるキーＫＹ１の押下を受け付けた場合に、ユーザー名ＵＮ１のポップアップ表示を消去する。
【００５８】
図７は、本発明の第１の実施の形態における新たなユーザーのログイン時の画像形成装置の動作を示すフローチャートである。
【００５９】
図７を参照して、画像形成装置１の制御部２０は、ＩＣカードの接近を検知すると、新たなユーザーの認証処理を行い（Ｓ１０１）、画像形成装置１にログイン中の先のユーザーが存在するか否かを判別する（Ｓ１０２）。
【００６０】
ステップＳ１０２において、画像形成装置１にログイン中の先のユーザーが存在すると判別した場合（Ｓ１０２でＹＥＳ）、制御部２０は、ログイン中の先のユーザーのログアウト処理を行い（Ｓ１０３）、新たなユーザーのログイン処理を行う（Ｓ１０４）。次に制御部２０は、新たなユーザーのユーザー名の全ての文字を操作画面に表示し（Ｓ１０５）、処理を終了する。
【００６１】
ステップＳ１０２において、画像形成装置１にログイン中の先のユーザーが存在しないと判別した場合（Ｓ１０２でＮＯ）、制御部２０は、新たなユーザーのログイン処理を行う（Ｓ１０６）。次に制御部２０は、新たなユーザーのユーザー名の短縮形を操作画面に表示し（Ｓ１０７）、処理を終了する。
【００６２】
本実施の形態によれば、ログイン中のユーザーが、先のユーザーと新たなユーザーとの間で切り替わった場合に、ユーザーによる操作無しに、新たなユーザーのユーザー名全体を表示する。これにより、ユーザー名の類似したユーザーが立て続けにログインした場合でも、ログイン中のユーザーを容易に知ることができ、利便性を向上することができる。加えて、ログイン中の先のユーザーが存在しない場合には、新たなユーザーのユーザー名の短縮形を表示するので、ユーザー名の表示領域を小さくすることができ、操作パネルの操作性への悪影響を最小限にとどめることができる。
【００６３】
［第２の実施の形態］
【００６４】
以降の第２および第３の実施の形態では、新たなユーザーのユーザー名の全ての文字を表示する場合における、ユーザー名の表示態様の変形例について説明する。
【００６５】
本実施の形態においては、新たなユーザーのユーザー名に、先のユーザーのユーザー名の文字と同一の文字がＣ１個（第３の個数の一例、本実施の形態では２個）以上含まれている場合の表示態様について説明する。画像形成装置１は、新たなユーザーのユーザー名の文字うち、先のユーザーのユーザー名の文字とは相違する文字を、先のユーザーのユーザー名の文字と同じである文字とは異なる色で表示することにより、新たなユーザーのユーザー名の全ての文字を表示する。
【００６６】
図８は、本発明の第２の実施の形態において、操作画面のヘッダ部に表示された新たなユーザーのユーザー名を模式的に示す図である。
【００６７】
図８を参照して、ここでは、先のユーザーのユーザー名が「ａｃｂｄｅｆｇ」であり、新たなユーザーのユーザー名が「ａｂｃｄｅｆｇ」であるものとする。先のユーザーのユーザー名と新たなユーザーのユーザー名とを比較すると、新たなユーザーのユーザー名の先頭から２個目および３個目の文字である「ｂｃ」が、先のユーザーのユーザー名の先頭から２個目および３個目の文字である「ｃｂ」とは異なっている。新たなユーザーのユーザー名のそれ以外の文字（「ａ」、「ｄ」、「ｅ」、「ｆ」、および「ｇ」）は、先のユーザー名の文字と同一である。すなわち、新たなユーザーのユーザー名には、先のユーザーのユーザー名の文字と同一の文字が、Ｃ１個以上含まれている。
【００６８】
この場合、画像形成装置１は、新たなユーザーのユーザー名ＵＮ１として、新たなユーザーのユーザー名の文字のうち、先のユーザーのユーザー名の文字とは相違する「ｂ」および「ｃ」を、先のユーザーのユーザー名の文字と同じである「ａ」、「ｄ」、「ｅ」、「ｆ」、および「ｇ」とは異なる色で表示する（図８では、「ｂ」および「ｃ」にハッチングを付すことにより、「ｂ」および「ｃ」の色が他の文字の色と異なることを表している）。
【００６９】
図９は、本発明の第２の実施の形態における新たなユーザーのログイン時の画像形成装置の動作を示すフローチャートである。
【００７０】
図９を参照して、このフローチャートは、ステップＳ１０４の処理の後に実行する処理が、図７に示す第１の実施の形態の場合のフローチャートと異なっている。
【００７１】
ステップＳ１０４において新たなユーザーのログイン処理を行った後、制御部２０は、先のユーザーのユーザー名と新たなユーザーのユーザー名とを比較し、新たなユーザーのユーザー名に、先のユーザーのユーザー名の文字と同一の文字がＣ１個以上含まれているか否かを判別する（Ｓ２０１）。
【００７２】
ステップＳ２０１において、新たなユーザーのユーザー名に、先のユーザーのユーザー名の文字と同一の文字がＣ１個数以上含まれていると判別した場合（Ｓ２０１でＹＥＳ）、制御部２０は、新たなユーザーのユーザー名の文字うち、先のユーザーのユーザー名の文字とは相違する文字を、別の色に変換し（Ｓ２０２）、変換後の新たなユーザーのユーザー名の全ての文字を表示し（Ｓ１０５）、処理を終了する。
【００７３】
ステップＳ２０１において、新たなユーザーのユーザー名に、先のユーザーのユーザー名の文字と同一の文字がＣ１個数以上含まれていないと判別した場合（Ｓ２０１でＮＯ）、制御部２０は、文字の色の変換を行わずに、新たなユーザーのユーザー名の全ての文字を表示し（Ｓ１０５）、処理を終了する。
【００７４】
なお、本実施の形態における画像形成装置１の構成および上述以外の動作は、第１の実施の形態の場合と同様であるので、その説明は繰り返さない。
【００７５】
本実施の形態によれば、先のユーザーのユーザー名と新たなユーザーのユーザー名とが類似している場合に、相違する文字を異なる色で表示するので、ログイン中のユーザーをより分かりやすくすることができる。
【００７６】
［第３の実施の形態］
【００７７】
本実施の形態においては、新たなユーザーのユーザー名がＣ２個（第４の個数の一例、本実施の形態では８個）以上の文字を含む場合の表示態様について説明する。画像形成装置１は、新たなユーザーのユーザー名がＣ２個未満の文字を含む場合に表示する文字のサイズよりも小さいサイズで、新たなユーザーのユーザー名の全ての文字を表示する。
【００７８】
図１０は、本発明の第３の実施の形態において、操作画面のヘッダ部に表示された新たなユーザーのユーザー名を模式的に示す図である。
【００７９】
図１０を参照して、たとえば、新たなユーザーのユーザー名が「ａｂｃｄｅｆｇｈｉｊｋｌｍｎ」である場合、新たなユーザーのユーザー名は１４個（≧Ｃ２個）の文字を含んでいる。この場合、画像形成装置１は、図１０（ａ）に示すように、新たなユーザーのユーザー名ＵＮ１として、新たなユーザーのユーザー名の全ての文字を半角で表示する。
【００８０】
一方、たとえば、新たなユーザーのユーザー名が「ａｂｃｄｅｆｇ」である場合、新たなユーザーのユーザー名は７個（＜Ｃ２個）の文字を含んでいる。この場合、画像形成装置１は、図１０（ｂ）に示すように、新たなユーザーのユーザー名ＵＮ１として、新たなユーザーのユーザー名の全ての文字を全角で表示する。
【００８１】
なお、ユーザー名が全角および半角の両方で表示できる場合に限り、上述のような全角および半角の切り替えを行ってもよい。また、ユーザー名が全角および半角の両方で表示できない場合には、文字サイズの切り替えを行ってもよい。
【００８２】
図１１は、本発明の第３の実施の形態における新たなユーザーのログイン時の画像形成装置の動作を示すフローチャートである。
【００８３】
図１１を参照して、このフローチャートは、ステップＳ１０４の処理の後に実行する処理が、図７に示す第１の実施の形態の場合のフローチャートと異なっている。
【００８４】
ステップＳ１０４において新たなユーザーのログイン処理を行った後、制御部２０は、新たなユーザーのユーザー名の文字数がＣ２個以上であるか否かを判別する（Ｓ３０１）。
【００８５】
ステップＳ３０１において、新たなユーザーのユーザー名の文字数がＣ２個以上であると判別した場合（Ｓ３０１でＹＥＳ）、制御部２０は、新たなユーザーのユーザー名が全角および半角の両方で表示可能であるか否かを判別する（Ｓ３０２）。
【００８６】
ステップＳ３０２において、新たなユーザーのユーザー名が全角および半角の両方で表示可能であると判別した場合（Ｓ３０２でＹＥＳ）、制御部２０は、新たなユーザーのユーザー名の文字を全角から半角にして（Ｓ３０３）、新たなユーザーのユーザー名の全ての文字を表示し（Ｓ１０５）、処理を終了する。
【００８７】
ステップＳ３０１において、新たなユーザーのユーザー名の文字数がＣ２個以上でないと判別した場合（Ｓ３０１でＮＯ）、制御部２０は、新たなユーザーのユーザー名の文字を半角にせずに全角のままとし、新たなユーザーのユーザー名の全ての文字を表示し（Ｓ１０５）、処理を終了する。
【００８８】
本実施の形態によれば、新たなユーザーのユーザー名の文字数が多い場合に、新たなユーザーのユーザー名をより小さい表示領域に表示することができる。
【００８９】
［第４の実施の形態］
【００９０】
本実施の形態においては、新たなユーザーのユーザー名として、ユーザー名の全ての文字またはユーザー名の短縮形を表示した場合に、画像形成装置１は、ユーザー名の全ての文字とユーザー名の短縮形との間で、表示する文字を切り替える。
【００９１】
図１２は、本発明の第４の実施の形態におけるユーザー名の表示態様の切り替えを模式的に示す図である。
【００９２】
図１２を参照して、ここでは、新たなユーザーが「ａｂｃｄｅｆｇｈｉｊｋｌｍｎ」というユーザー名を有しているものとする。新たなユーザーのユーザー名の全ての文字を表示する場合には、画像形成装置１は、新たなユーザーのユーザー名ＵＮ１として、図１２（ａ）に示すように、「ａｂｃｄｅｆｇｈｉｊｋｌｍｎ」という文字をユーザー名表示領域ＡＲに表示する。一方、新たなユーザーのユーザー名の短縮形を表示する場合には、画像形成装置１は、新たなユーザーのユーザー名ＵＮ２として、図１２（ｂ）に示すように、「ａｂｃｄｅ」という文字をユーザー名表示領域ＡＲに表示する。
【００９３】
画像形成装置１は、図１２（ａ）に示すユーザー名ＵＮ１を表示した状態で、ユーザー名表示領域ＡＲの選択（タッチ）を受け付けた場合に、新たなユーザーのユーザー名の表示態様を、ユーザー名ＵＮ１から図１２（ｂ）に示すユーザー名ＵＮ２に切り替える。画像形成装置１は、図１２（ｂ）に示すユーザー名ＵＮ２を表示した状態で、ユーザー名表示領域ＡＲの選択（タッチ）を受け付けた場合に、新たなユーザーのユーザー名の表示態様を、ユーザー名ＵＮ２から図１２（ａ）に示すユーザー名ＵＮ１に切り替える。
【００９４】
さらに、画像形成装置１は、図１２（ａ）に示すユーザー名ＵＮ１を表示した場合において、ユーザー名表示領域ＡＲの選択を受け付けることなく一定時間が経過した場合、新たなユーザーのユーザー名の表示態様を、ユーザー名ＵＮ１から図１２（ｂ）に示すユーザー名ＵＮ２に自動的に切り替えてもよい。画像形成装置１は、新たなユーザーを特定した場合において、画像形成装置１にログイン中の先のユーザーが存在したときは、新たなユーザーのログイン処理を行ってからの経過時間を計測し、計測した時間に基づいてユーザー名の切り替えを行ってもよい。
【００９５】
画像形成装置１は、ユーザー名表示領域ＡＲの選択を受け付けた場合に、ユーザー名の表示態様の切り替えを行い、ユーザーのログイン処理を行ってからの経過時間に基づくユーザー名の表示態様の切り替えを行わなくてもよい。また画像形成装置１は、ユーザー名表示領域ＡＲの選択を受け付けた場合に、ユーザー名の表示態様の切り替えを行わず、ユーザーのログイン処理を行ってからの経過時間に基づくユーザー名の表示態様の切り替えを行ってもよい。さらに、ユーザー名の表示態様の切り替えのタイミングは任意であり、上述のものに限られない。
【００９６】
図１３は、本発明の第４の実施の形態における新たなユーザーのログイン時の画像形成装置の動作を示すフローチャートである。
【００９７】
図１３を参照して、このフローチャートは、ステップＳ１０４の処理の後に実行する処理が、図７に示す第１の実施の形態の場合のフローチャートと異なっている。
【００９８】
ステップＳ１０４において新たなユーザーのログイン処理を行った後、制御部２０は、タイマー部１０６による計時を開始し（Ｓ４０１）、新たなユーザーのユーザー名の全ての文字を表示する（Ｓ１０５）。続いて制御部２０は、ユーザー名表示領域の選択を受け付けたか否かを判別する（Ｓ４０２）。
【００９９】
ステップＳ４０２において、ユーザー名表示領域の選択を受け付けないと判別した場合（Ｓ４０２でＮＯ）、制御部２０は、タイマー部１０６による計時中であり、かつ計測した時間が所定の時間を経過したか否かを判別する（Ｓ４０３）。
【０１００】
ステップＳ４０３において、タイマー部１０６による計時中でない場合、またはタイマー部１０６による計時中であるが、計測した時間が所定の時間を経過していない場合（Ｓ４０３でＮＯ）、制御部２０はステップＳ４０２の処理へ進む。
【０１０１】
ステップＳ４０２において、ユーザー名表示領域の選択を受け付けたと判別した場合（Ｓ４０２でＹＥＳ）、またはステップＳ４０３において、タイマー部１０６による計時中であり、かつ計測した時間が所定の時間を経過したと判別した場合（Ｓ４０３でＹＥＳ）、制御部２０は、新たなユーザーのユーザー名の短縮形を表示する（Ｓ１０７）。
【０１０２】
ステップＳ１０７において、新たなユーザーのユーザー名の短縮形を表示した後で、制御部２０は、ユーザー名表示領域の選択を受け付けたか否かを判別する（Ｓ４０４）。
【０１０３】
ステップＳ４０４において、ユーザー名表示領域の選択を受け付けたと判別した場合（Ｓ４０４でＹＥＳ）、制御部２０は、ステップＳ１０５の処理へ進み、新たなユーザーのユーザー名の全ての文字を表示する（Ｓ１０５）。
【０１０４】
ステップＳ４０４において、ユーザー名表示領域の選択を受け付けないと判別した場合（Ｓ４０４でＮＯ）、制御部２０は処理を終了する。
【０１０５】
本実施の形態によれば、ユーザー名の全ての文字とユーザー名の短縮形との間で、新たなユーザーのユーザー名の表示態様を切り替えるので、利便性を向上することができる。
【０１０６】
［第５の実施の形態］
【０１０７】
以降の第５および第６の実施の形態では、新たなユーザーのユーザー名の全ての文字から新たなユーザーのユーザー名の短縮形に、表示する文字を切り替える場合における、ユーザー名の表示態様の変形例について説明する。
【０１０８】
本実施の形態においては、新たなユーザー名の先頭からＣ３個（第１の個数の一例、ここでは５個）分の文字と、先のユーザーのユーザー名の先頭からＣ３個分の文字とが同一である場合の表示態様について説明する。画像形成装置１は、新たなユーザーのユーザー名の文字のうち、先頭の文字から、先のユーザーのユーザー名の文字と相違する文字までを、新たなユーザーのユーザー名の短縮形として表示する。
【０１０９】
図１４は、本発明の第５の実施の形態において、操作画面のヘッダ部に表示された新たなユーザーのユーザー名を模式的に示す図である。
【０１１０】
図１４を参照して、ここでは、先のユーザーのユーザー名が「ａｂｃｄｅｘｙ」であり、新たなユーザーのユーザー名が「ａｂｃｄｅｆｇ」であるものとする。画像形成装置１は、図１４（ａ）に示すユーザー名ＵＮ１を表示した状態で、ユーザー名表示領域ＡＲの選択（タッチ）を受け付けた場合に、新たなユーザーのユーザー名の表示態様を、ユーザー名ＵＮ１から図１４（ｂ）に示すユーザー名ＵＮ２に切り替える。
【０１１１】
先のユーザーのユーザー名と新たなユーザーのユーザー名とを比較すると、新たなユーザーのユーザー名の先頭から５個目までの文字は、いずれも「ａｂｃｄｅ」であり、新たなユーザーのユーザー名の６個目以降の文字は、先のユーザーのユーザー名の文字と相違している。この場合、画像形成装置１は、新たなユーザーのユーザー名ＵＮ２として、新たなユーザーのユーザー名の文字のうち、先頭から、先のユーザーのユーザー名の文字とは相違する６個目までの文字までを表示する。その結果、ユーザー名ＵＮ２として、「ａｂｃｄｅｆ」という文字が表示される。
【０１１２】
なお、新たなユーザー名の先頭からＣ３個分の文字と、先のユーザーのユーザー名の先頭からＣ３個分の文字とが同一でない場合、画像形成装置１は、新たなユーザーを特定した場合において、画像形成装置１にログイン中の先のユーザーが存在しなかったときのユーザー名の短縮形の表示態様（通常の短縮形の表示態様、たとえば先頭から５個分の文字）でユーザー名ＵＮ２を表示する。
【０１１３】
図１５は、本発明の第５の実施の形態における新たなユーザーのログイン時の画像形成装置の動作を示すフローチャートである。
【０１１４】
図１５を参照して、このフローチャートは、ステップＳ１０５およびＳ１０６の処理の後に実行する処理が、図７に示す第１の実施の形態の場合のフローチャートと異なっている。
【０１１５】
ステップＳ１０５において新たなユーザーのユーザー名の全ての文字を表示した後、制御部２０は、ユーザー名表示領域の選択を受け付けたか否かを判別する（Ｓ５０１）。ユーザー名表示領域の選択を受け付けたと判別するまで、制御部２０は、ステップＳ５０１の処理を繰り返す。
【０１１６】
ステップＳ５０１において、ユーザー名表示領域の選択を受け付けたと判別した場合（Ｓ５０１でＹＥＳ）、制御部２０は、新たなユーザー名の先頭からＣ３個分の文字と、先のユーザーのユーザー名の先頭からＣ３個分の文字とが同一であるか否かを判別する（Ｓ５０２）。
【０１１７】
ステップＳ５０２において、新たなユーザー名の先頭からＣ３個分の文字と、先のユーザーのユーザー名の先頭からＣ３個分の文字とが同一であると判別した場合（Ｓ５０２でＹＥＳ）、制御部２０は、新たなユーザーのユーザー名の文字のうち、先頭から、先のユーザーのユーザー名の文字とは相違する文字まででユーザー名の短縮形を表示し（Ｓ５０３）、処理を終了する。
【０１１８】
ステップＳ５０２において、新たなユーザー名の先頭からＣ３個分の文字と、先のユーザーのユーザー名の先頭からＣ３個分の文字とが同一でないと判別した場合（Ｓ５０２でＮＯ）、制御部２０は、先頭から一定の個数までの文字の短縮形でユーザー名の短縮形を表示し（Ｓ５０４）、処理を終了する。
【０１１９】
ステップＳ１０６において、新たなユーザーのログイン処理を行った後で、制御部２０は、先頭から一定の個数までの文字の短縮形でユーザー名の短縮形を表示し（Ｓ５０４）、処理を終了する。
【０１２０】
先のユーザーのユーザー名の文字と新たなユーザーのユーザー名の文字とが、先頭からある個数まで同じである場合には、先のユーザーのユーザー名の短縮形と新たなユーザーのユーザー名の短縮形とがほぼ同じになる可能性が高く、ログイン中のユーザーが分かり難くなる。本実施の形態によれば、新たなユーザーのユーザー名の文字のうち、先頭の文字から先のユーザーのユーザー名の文字と相違する文字までを、新たなユーザーのユーザー名の短縮形として表示するので、ログイン中のユーザーをより分かりやすくすることができる。
【０１２１】
［第６の実施の形態］
【０１２２】
本実施の形態においては、新たなユーザー名の先頭からＣ４個（第２の個数の一例、ここでは５個）分の文字と、先のユーザーのユーザー名の先頭からＣ４個分の文字とが同一である場合の表示態様について説明する。画像形成装置１は、新たなユーザーのユーザー名の文字のうち、先のユーザーのユーザー名の文字とは相違する文字以降の文字を、新たなユーザーのユーザー名の短縮形として表示する。
【０１２３】
図１６は、本発明の第６の実施の形態において、操作画面のヘッダ部に表示された新たなユーザーのユーザー名を模式的に示す図である。
【０１２４】
図１６を参照して、ここでは、先のユーザーのユーザー名が「ａｂｃｄｅｘｙ」であり、新たなユーザーのユーザー名が「ａｂｃｄｅｆｇ」であるものとする。画像形成装置１は、図１６（ａ）に示すユーザー名ＵＮ１を表示した状態で、ユーザー名表示領域ＡＲの選択（タッチ）を受け付けた場合に、新たなユーザーのユーザー名の表示態様を、ユーザー名ＵＮ１から図１６（ｂ）に示すユーザー名ＵＮ２に切り替える。
【０１２５】
先のユーザーのユーザー名と新たなユーザーのユーザー名とを比較すると、新たなユーザーのユーザー名の先頭から５個目までの文字は、いずれも「ａｂｃｄｅ」であり、新たなユーザーのユーザー名の６個目以降の文字は、先のユーザーのユーザー名の文字と相違している。この場合、画像形成装置１は、新たなユーザーのユーザー名ＵＮ２として、先のユーザーのユーザー名の文字とは相違する６個目以降の文字を表示する。その結果、ユーザー名ＵＮ２として、「ｆｇ」という文字が表示される。
【０１２６】
なお、新たなユーザー名の先頭からＣ４個分の文字と、先のユーザーのユーザー名の先頭からＣ４個分の文字とが同一でない場合、画像形成装置１は、新たなユーザーを特定した場合において、画像形成装置１にログイン中の先のユーザーが存在しなかったときのユーザー名の短縮形の表示態様（通常の短縮形の表示態様、たとえば先頭から５個分の文字）でユーザー名ＵＮ２を表示する。
【０１２７】
図１７は、本発明の第６の実施の形態における新たなユーザーのログイン時の画像形成装置の動作を示すフローチャートである。
【０１２８】
図１７を参照して、このフローチャートは、ステップＳ１０５およびＳ１０６の処理の後に実行する処理が、図７に示す第１の実施の形態の場合のフローチャートと異なっている。
【０１２９】
ステップＳ１０５において新たなユーザーのユーザー名の全ての文字を表示した後、制御部２０は、ユーザー名表示領域の選択を受け付けたか否かを判別する（Ｓ６０１）。ユーザー名表示領域の選択を受け付けたと判別するまで、制御部２０は、ステップＳ６０１の処理を繰り返す。
【０１３０】
ステップＳ６０１において、ユーザー名表示領域の選択を受け付けたと判別した場合（Ｓ６０１でＹＥＳ）、制御部２０は、新たなユーザー名の先頭からＣ４個分の文字と、先のユーザーのユーザー名の先頭からＣ４個分の文字とが同一であるか否かを判別する（Ｓ６０２）。
【０１３１】
ステップＳ６０２において、新たなユーザー名の先頭からＣ４個分の文字と、先のユーザーのユーザー名の先頭からＣ４個分の文字とが同一であると判別した場合（Ｓ６０２でＹＥＳ）、制御部２０は、新たなユーザーのユーザー名の文字のうち、先のユーザーのユーザー名の文字とは相違する文字以降の文字でユーザー名の短縮形を表示し（Ｓ６０３）、処理を終了する。
【０１３２】
ステップＳ６０２において、新たなユーザー名の先頭からＣ４個分の文字と、先のユーザーのユーザー名の先頭からＣ４個分の文字とが同一でないと判別した場合（Ｓ６０２でＮＯ）、制御部２０は、先頭から一定の個数までの文字の短縮形でユーザー名の短縮形を表示し（Ｓ６０４）、処理を終了する。
【０１３３】
ステップＳ１０６において、新たなユーザーのログイン処理を行った後で、制御部２０は、先頭から一定の個数までの文字の短縮形でユーザー名の短縮形を表示し（Ｓ６０４）、処理を終了する。
【０１３４】
本実施の形態によれば、新たなユーザーのユーザー名の文字のうち、先頭の文字から先のユーザーのユーザー名の文字と相違する文字以降の文字を、新たなユーザーのユーザー名の短縮形として表示するので、ログイン中のユーザーをより分かりやすくすることができる。
【０１３５】
［第７の実施の形態］
【０１３６】
本実施の形態においては、新たなユーザーのユーザー名として、ユーザー名の全ての文字またはユーザー名の短縮形を表示した後で、ユーザー名の全ての文字またはユーザー名の短縮形を表示した操作画面に、新たなユーザーに関する情報が表示された場合に、画像形成装置１は、ユーザー名の全ての文字またはユーザー名の短縮形を操作画面から消去する。
【０１３７】
図１８は、本発明の第７の実施の形態における操作画面を模式的に示す図である。
【０１３８】
図１８を参照して、本実施の形態の前提として、固定記憶装置５０の記憶領域内にはボックスが設けられており、ボックス内には、画像形成装置１を使用可能な各ユーザーのフォルダーが設けられている。ユーザーのフォルダーは、そのユーザーがログインした場合にのみ開くことができない。
【０１３９】
ログイン中の先のユーザーが存在しない状態で、「ａｂｃｄｅｆｇｈｉｊｋｌｍｎ」というユーザー名を持つ新たなユーザーがログインした場合、画像形成装置１は、図１８（ａ）に示すように、ユーザー名ＵＮ２として「ａｂｃｄｅ」という文字を操作画面に表示する。ログイン後、新たなユーザーがボックス内の自らのフォルダーにアクセスした場合、画像形成装置１は、図１８（ｂ）に示すように、ユーザー名ＵＮ１を表示するとともに、新たなユーザーのフォルダー内に保存されているファイルを表示する。
【０１４０】
画像形成装置１は、ユーザー名ＵＮ２を表示した操作画面に、新たなユーザーに関する情報が表示された場合に、ユーザー名ＵＮ２を操作画面から消去する。新たなユーザーのユーザー名に関する情報とは、たとえば、ユーザー名の全ての文字、ユーザー名を短縮した文字、ユーザーのＩＤ、ユーザーを表す記号、またはユーザーが所属している部門名などである。新たなユーザーに関する情報は、新たなユーザーのユーザー名に関する情報であることが好ましい。
【０１４１】
図１９は、本発明の第７の実施の形態における新たなユーザーのログイン時の画像形成装置の動作を示すフローチャートである。
【０１４２】
図１９を参照して、このフローチャートは、ステップＳ１０５またはＳ１０７の処理の後に実行する処理が、図７に示す第１の実施の形態の場合のフローチャートと異なっている。
【０１４３】
ステップＳ１０５において新たなユーザーのユーザー名の全ての文字を操作画面に表示した後、またはステップＳ１０７において新たなユーザーのユーザー名の短縮形を操作画面に表示した後、制御部２０は、新たなユーザーに関する情報が操作画面に表示されたか否かを判別する（Ｓ７０１）。
【０１４４】
ステップＳ７０１において、新たなユーザーに関する情報が操作画面に表示されたと判別した場合（Ｓ７０１でＹＥＳ）、制御部２０は、新たなユーザーのユーザー名を操作画面から消去し（非表示にし）（Ｓ７０２）、処理を終了する。
【０１４５】
ステップＳ７０１において、新たなユーザーに関する情報が操作画面に表示されないと判別した場合（Ｓ７０１でＮＯ）、制御部２０は、新たなユーザーのユーザー名を操作画面に表示したままにし（Ｓ７０３）、処理を終了する。
【０１４６】
本実施の形態によれば、操作画面に新たなユーザーに関する情報が表示された場合には、ユーザーは新たなユーザーがログイン中であることを認識することができると判断して、新たなユーザーのユーザー名を操作画面から消去する。これにより、操作画面内に大きいスペースを確保することができ、操作パネルの操作性を向上することができる。
【０１４７】
［その他］
【０１４８】
新たなユーザーのユーザー名は、新たなユーザーがログインしてから所定の時間の間だけ表示され、所定の時間経過後に消去されてもよいし、新たのユーザーのログイン中には常に表示されてもよい。同時に画像形成装置を使用できる人数は、複数であってもよい。
【０１４９】
上述の実施の形態は適宜組み合わせることができる。たとえば、新たなユーザーのユーザー名の全ての文字と新たなユーザーのユーザー名の短縮形との間で、表示する文字を切り替える場合に、第１〜第３の実施の形態のうちいずれかで説明した表示態様で、新たなユーザーのユーザー名の全ての文字を表示し、第５および第６の実施の形態のうちいずれかで説明した表示態様で、新たなユーザーのユーザー名の短縮形を表示してもよい。
【０１５０】
上述の実施の形態における処理は、ソフトウェアにより行なっても、ハードウェア回路を用いて行なってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１５１】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１５２】
１  画像形成装置
１０  操作パネル
１１  ハードウェアキー
１２  表示部
１３  タッチパネル
２０  制御部
３０  認証装置
４０  画像形成部
５０  固定記憶装置
１０１  操作入力検知部
１０２  個人認証部
１０３  情報処理部
１０４  表示制御部
１０５  画像形成処理制御部
１０６  タイマー部
２００  ＩＣカード
ＡＲ  ユーザー名表示領域
ＫＹ１  キー
ＵＮ１，ＵＮ２  ユーザー名
【図１】
2015053635.tif 000003
【図２】
2015053635.tif 000004
【図３】
2015053635.tif 000005
【図４】
2015053635.tif 000006
【図５】
2015053635.tif 000007
【図６】
2015053635.tif 000008
【図７】
2015053635.tif 000009
【図８】
2015053635.tif 000010
【図９】
2015053635.tif 000011
【図１０】
2015053635.tif 000012
【図１１】
2015053635.tif 000013
【図１２】
2015053635.tif 000014
【図１３】
2015053635.tif 000015
【図１４】
2015053635.tif 000016
【図１５】
2015053635.tif 000017
【図１６】
2015053635.tif 000018
【図１７】
2015053635.tif 000019
【図１８】
2015053635.tif 000020
【図１９】
2015053635.tif 000021